(57)【要約】      （修正有）【課題】利用者の利便性を損なうことなく、屋外のプール施設の上方の空間を利用して太陽光発電を行うことが可能な技術を提供する。【解決手段】屋外のプール施設のプールサイド６の端部に配設される塀構造として具現化される。その塀構造は、太陽電池パネル２２と、太陽電池パネル２２をプールサイドの端部で支持する支柱２０を備えている。その塀構造において、太陽電池パネル２２は、ほぼ鉛直方向に伸びる鉛直部３０と、鉛直部３０の上端からプールサイド６の内側に向けて傾斜して伸びる傾斜部３２を備えている。その塀構造において、太陽電池パネルは、鉛直部と傾斜部が一体的に成形されている。その太陽電池パネルの鉛直部と傾斜部の外面に太陽電池の受光面が設けられている。【選択図】図２
0003150809.tif 000002
【実用新案登録請求の範囲】
【請求項１】
屋外のプール施設のプールサイドの端部に配設される塀構造であって、
太陽電池パネルと、太陽電池パネルをプールサイドの端部で支持する支柱を備えており、
太陽電池パネルは、ほぼ鉛直方向に伸びる鉛直部と、鉛直部の上端からプールサイドの内側に向けて傾斜して伸びる傾斜部を備えており、
太陽電池パネルは、鉛直部と傾斜部が一体的に成形されており、
太陽電池パネルの鉛直部と傾斜部の外面に太陽電池の受光面が設けられている塀構造。
【請求項２】
屋外のプール施設が学校に設けられた水泳プールである請求項１の塀構造。
【請求項３】
太陽電池パネルの傾斜部が水平面と成す角度が０度以上４５度以下である請求項１または２の塀構造。
【考案の詳細な説明】
【技術分野】
【０００１】
本考案は、屋外のプール施設のプールサイドに配設される塀構造に関する。
【背景技術】
【０００２】
持続可能な社会の実現に向けた取り組みとして、太陽電池を用いた太陽光発電システムの開発が進められている。太陽電池を用いた太陽光発電において、大きな発電量を得るためには、日照が良好でありかつ大型の太陽電池を設置可能な空間が必要となる。そこで、屋外のプール施設の上方の空間を利用した太陽光発電が考えられている。例えば特許文献１には、プール施設などの水を張った区画の水面上に太陽電池パネルを垂設した太陽光発電システムが記載されている。
【先行技術文献】
【特許文献】
【０００３】
【特許文献１】特開２００５−１２４３８１号公報
【考案の概要】
【考案が解決しようとする課題】
【０００４】
特許文献１の技術では、太陽電池パネルを支える架台がプール内に設置されており、プール内で泳いだり遊んだりする利用者の利便性を損なうおそれがある。
【０００５】
利用者の利便性を損なわないように、太陽電池パネルを支える架台を、プールの上方を横断するように設置して、その架台によって太陽電池パネルを支持する構成とすることが考えられる。しかしながら、このように太陽電池パネルを設置した場合には、プール内にいる利用者は閉塞感を感じることとなり、屋外のプール施設の醍醐味である開放感が損なわれてしまう。
【０００６】
本考案は上記課題を解決する。本考案は、利用者の利便性を損なうことなく、屋外のプール施設の上方の空間を利用して太陽光発電を行うことが可能な技術を提供することを目的とする。
【課題を解決するための手段】
【０００７】
本考案は屋外のプール施設のプールサイドの端部に配設される塀構造として具現化される。その塀構造は、太陽電池パネルと、太陽電池パネルをプールサイドの端部で支持する支柱を備えている。その塀構造において、太陽電池パネルは、ほぼ鉛直方向に伸びる鉛直部と、鉛直部の上端からプールサイドの内側に向けて傾斜して伸びる傾斜部を備えている。その塀構造において、太陽電池パネルは、鉛直部と傾斜部が一体的に成形されている。その塀構造においては、太陽電池パネルの鉛直部と傾斜部の外面に太陽電池の受光面が設けられている。
【０００８】
上記の塀構造では、太陽電池パネルの鉛直部と傾斜部のそれぞれに太陽電池の受光面が設けられており、太陽光を受けて発電する。この塀構造では、朝方や夕方については主に鉛直部の受光面で太陽光を受光し、日中については主に傾斜部の受光面で太陽光を受光する。この塀構造によれば、プール施設の利用者の開放感を損なうことなく、プール施設の上方の空間を利用して太陽光発電を行うことができる。
【０００９】
また上記の塀構造では、傾斜部と鉛直部が一体的に成形された太陽電池パネルを、プールサイドの端部で支柱が支持する構成としているので、太陽電池パネルの高所からの脱落を防ぐことができる。プール施設の利用者の安全性を確保することができる。
【００１０】
また上記の塀構造によれば、プールサイドの床面への日射が、太陽電池パネルの鉛直部と傾斜部によって遮られる。特に、日中の強い日差しに対しても、太陽電池パネルの傾斜部がプールサイドの床面への日射を遮る。これによって、プールサイドの床面の温度上昇が抑制され、プールサイドを素足で移動する利用者の快適性を確保することができる。
【００１１】
また上記の塀構造によれば、太陽電池パネルの鉛直部と傾斜部によって、プール施設内への砂埃や粉塵の飛来が防止される。プール内の水の汚濁を防ぐことができる。
【００１２】
また上記の塀構造によれば、太陽電池パネルの鉛直部と傾斜部によって、プールやプールサイドで生じる音響の外部への伝搬が抑制される。近隣への騒音を抑制することができる。
【００１３】
上記の塀構造は、屋外のプール施設が学校に設けられた水泳プールであることが好ましい。
【００１４】
上記の塀構造によれば、学校の生徒や児童がプール施設を利用する際に、太陽電池パネルを常に視認することになる。生徒や児童に対する環境教育を促進することができる。
【００１５】
上記の塀構造では、太陽電池パネルの傾斜部が水平面と成す角度が０度以上４５度以下であることが好ましい。
【００１６】
上記の塀構造によれば、日中の日差しに対する発電効率を高めることができる。
【考案の効果】
【００１７】
本考案の塀構造によれば、利用者の利便性を損なうことなく、屋外のプール施設の上方の空間を利用して太陽光発電を行うことができる。
【図面の簡単な説明】
【００１８】
【図１】本考案の実施例に係るプール施設２の上面図である。
【図２】図１のＡ−Ａ断面についての断面図である。
【図３】図２のＢ−Ｂ断面についての断面図である。
【図４】本考案の実施例に係る太陽電池パネル２２の外観を示す図である。
【図５】図２のＣ−Ｃ断面についての断面図である。
【図６】図２のＤ−Ｄ断面についての断面図である。
【考案を実施するための形態】
【００１９】
以下、本考案の好適な実施形態について詳細に説明する。
【実施例】
【００２０】
図１に本考案に係るプールサイドの塀構造の実施例を示す。プール施設２は、小学校の屋外に設けられた水泳プールである。プール施設２には、プール本体４と、プールサイド６が設けられている。プール本体４はステンレス製プールである。プールサイド６には、更衣室８、シャワー室１０、トイレ１２などが設けられている。更衣室８、シャワー室１０、トイレ１２などの設備電源は、電力管理ボックス１４によって管理されている。プールサイド６の端部に、塀構造１６が設けられている。
【００２１】
図２および図３に示すように、塀構造１６は、所定の間隔でプールサイド６の端部に立設された複数の支柱２０と、互いに隣接する支柱２０によって支持された複数の太陽電池パネル２２によって構成されている。
【００２２】
図２に示すように、太陽電池パネル２２は、それぞれ平板状に形成された鉛直部３０と傾斜部３２を備えている。鉛直部３０は太陽電池パネル２２が支柱２０に固定されたときにほぼ鉛直方向に沿って伸びるように形成されている。傾斜部３２は太陽電池パネル２２が支柱２０に固定されたときに鉛直部３０の上端からプールサイド６の内側（すなわちプール本体４側）に傾斜して伸びるように形成されている。本実施例では、傾斜部３２は鉛直部３０に対して１２０度の角度で傾斜しており、太陽電池パネル２２が支柱２０に固定されたときに、傾斜部３２は水平面に対して３０度の角度となる。鉛直部３０と傾斜部３２は、接続部が滑らかに屈曲するように、一体的に成形されている。
【００２３】
図４に示すように、太陽電池パネル２２の鉛直部３０と傾斜部３２の外面側には、それぞれ太陽電池モジュール３４が設けられている。太陽電池モジュール３４は、表面に入射する太陽光によって直流の電気を発生させる太陽電池セル３６を電気的に複数接続したものである。個々の太陽電池セル３６は、図示しない配線によって電気的に接続されている。各太陽電池モジュール３４で発電した電力は、図示しない配線によって電力管理ボックス１４に送られる。
【００２４】
図２や図４に示すように、太陽電池パネル２２の鉛直部３０の両側端には、支柱取付リブ３８が設けられている。支柱取付リブ３８は、支柱取付金具４０によって、支柱２０に固定される。
【００２５】
図５は支柱取付金具４０の近傍の横断面を示している。支柱取付金具４０は、アルミダイキャスト製の部材である。支柱取付金具４０は、バンド４２によって支柱２０に固定される。支柱取付金具４０にはリブ受け溝４４が形成されており、隣接する２つの太陽電池パネル２２の支柱取付リブ３８を嵌め合わせることができる。太陽電池パネル２２の支柱取付リブ３８をリブ受け溝４４に嵌め合わせ、ボルト５２を挿通して締結することによって、太陽電池パネル２２が支柱２０に固定される。
【００２６】
図２や図４に示すように、太陽電池パネル２２の傾斜部３２の両側端には、結束リブ４６が設けられている。結束リブ４６は、結束金具４８によって、隣接する太陽電池パネル２２同士を結束する。
【００２７】
図５は結束金具４８の近傍の横断面を示している。結束金具４８は、アルミダイキャスト製の部材である。結束金具４８にはリブ受け溝５０が形成されており、隣接する２つの太陽電池パネル２２の結束リブ４６をリブ受け溝５０に嵌め合わせることができる。太陽電池パネル２２の結束リブ４０をリブ受け溝５０に嵌め合わせ、ボルト５４を挿通して締結することによって、隣接する太陽電池パネル２２の傾斜部３２同士が結束される。
【００２８】
各太陽電池パネル２２の太陽電池モジュール３４で発電した電力は電力管理ボックス１４に送られる。電力管理ボックス１４へ送られた電力は、インバータで交流電力に変換されて、更衣室８、シャワー室１０、トイレ１２などの設備電源に利用される。また、電力管理ボックス１４が緊急災害時に備えた蓄電システムを備えている場合には、電力管理ボックス１４へ送られた電力は、蓄電システムに蓄電される。
【００２９】
なお本実施例の塀構造１６を既存のプール施設２へ配設する際には、既存のプールフェンスなどを全て撤去してから改めて配設してもよいし、既存のプールフェンスの支柱のみを残して撤去し、その支柱を太陽電池パネル２２を支持する支柱２０として利用してもよい。
【００３０】
本実施例の塀構造１６では、太陽電池パネル２２の鉛直部３０と傾斜部３２のそれぞれに太陽電池モジュール３４の受光面が設けられており、太陽光を受けて発電する。この塀構造１６では、朝方や夕方については主に鉛直部３０の太陽電池モジュール３４の受光面で太陽光を受光し、日中については主に傾斜部３２の太陽電池モジュール３４の受光面で太陽光を受光する。この塀構造１６では、プール本体４の上方は太陽電池パネル２２によって覆われていないので、プール施設２の利用者の開放感を損なうことなく、プール施設２の上方の空間を利用して太陽光発電を行うことができる。
【００３１】
本実施例の塀構造１６では、鉛直部３０と傾斜部３２が一体的に成形された太陽電池パネル２２を、プールサイド６の端部で支柱２０が支持する構成としているので、太陽電池パネル２２の高所からの脱落を防ぐことができる。プール施設２の利用者の安全性を確保することができる。
【００３２】
本実施例の塀構造１６によれば、プールサイド６の床面への日射が、太陽電池パネル２２によって遮られる。特に、日中の強い日差しについても、太陽電池パネル２２の傾斜部３２がプールサイド６の床面への日射を遮る。これによって、プールサイド６の床面の温度上昇が抑制される。プール施設２の利用者は、プールサイド６の床面を素足で快適に移動することができる。
【００３３】
本実施例の塀構造１６によれば、太陽電池パネル２２によって、プール施設２内への砂埃や粉塵の飛来が防止される。プール本体４内の水の汚濁を防ぐことができる。
【００３４】
本実施例の塀構造１６によれば、太陽電池パネル２２の鉛直部３０と傾斜部３２によって、プール本体４やプールサイド６で生じる音響の外部への伝搬が抑制される。近隣への騒音を抑制することができる。
【００３５】
本実施例の塀構造１６によれば、生徒や児童がプール施設２を利用する際に、太陽電池パネル２２を常に視認することになる。生徒や児童に対する環境教育を促進することができる。
【００３６】
なお太陽電池パネル２２の鉛直部３０と傾斜部３２が成す角度は、１２０度に限定されるものではない。太陽電池パネル２２が支柱２０に固定された際に、傾斜部３２が水平面に対して０度〜４５度の範囲で傾斜する角度であれば、日中の日差しに対する発電効率を高めることができる。
【００３７】
以上、本考案の具体例を詳細に説明したが、これらは例示にすぎず、実用新案登録請求の範囲を限定するものではない。実用新案登録請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００３８】
２     プール施設
４     プール本体
６     プールサイド
８     更衣室
１０   シャワー室
１２   トイレ
１４   電力管理ボックス
１６   塀構造
２０   支柱
２２   太陽電池パネル
３０   鉛直部
３２   傾斜部
３４   太陽電池モジュール
３６   太陽電池セル
３８   支柱取付リブ
４０   結束リブ
４０   支柱取付金具
４２   バンド
４４   リブ受け溝
４６   結束リブ
４８   結束金具
５０   リブ受け溝
５２   ボルト
５４   ボルト
【図１】
0003150809.tif 000003
【図２】
0003150809.tif 000004
【図３】
0003150809.tif 000005
【図４】
0003150809.tif 000006
【図５】
0003150809.tif 000007
【図６】
0003150809.tif 000008